(57)【要約】【課題】清掃用シートの使用済み面が直接手に触れることなく容易に未使用面に交換できる掃除具を提供する。【解決手段】掃除具１００において、清掃用シートSが装着された場合、ユーザが取手３１１によって、芯３１に巻回された清掃用シートＳが巻き取られるように当該芯３１を回動させることで、本体部１の外部へ露出した清掃用シートＳの使用済み面を巻き取り、従動回転する芯３２に逆方向へ巻回された清掃用シートＳを芯３２の周面より放出することで、清掃用シートＳを使用済み面から未使用面に交換できるように構成した。【選択図】図１
2012070952.tif 000002
【特許請求の範囲】
【請求項１】
一体の長尺な清掃用シートを装着して床面を清掃するための掃除具であって、
一対の孔を有する側面視ロ字状に形成された本体部と、
前記本体部の内部に設けられた一対の円筒部材と、
を備え、
前記清掃用シートが装着された場合、
前記一対の円筒部材は、各々前記清掃用シートの一端側と他端側を巻回方向が互いに逆方向となるように巻回し、
前記一対の孔のうち一方の孔は、前記一対の円筒部材の一方から引き出した前記清掃用シートを挿通させ、
前記一対の孔のうち他方の孔は、前記一対の円筒部材の他方に巻き取る前記清掃用シートを挿通させ、
前記本体部の周面は、前記一対の孔に挿通されて前記本体部の外部へ露出する前記清掃用シートで覆われ、
前記一対の円筒部材の何れか一方には、当該円筒部材を回動させるための取手が備わることを特徴とする掃除具。
【請求項２】
請求項１に記載の掃除具において、
前記本体部の底面には前記床面の形状に合わせて変形可能な軟質部材が設けられ、
前記軟質部材の外周面は、前記一対の孔に挿通されて前記本体部の外部へ露出する前記清掃用シートで覆われることを特徴とする掃除具。
【請求項３】
請求項１又は２に記載の掃除具において、
前記本体部の上面には、前記円筒部材の長手方向と平行な方向に沿って所定の深さからなる溝が形成され、
前記溝の上面に、当該溝の深さより小さな径を有する棒状の柄を回動自在に取付ける取付部を備えることを特徴とする掃除具。
【請求項４】
請求項１〜３の何れか１項に記載の掃除具において、
前記一対の孔のうち少なくとも前記他方の孔は、前記本体部の側面に形成されることを特徴とする掃除具。
【発明の詳細な説明】
【技術分野】
【０００１】
本発明は、清掃用シートを装着した掃除具に関する。
【背景技術】
【０００２】
取り替え自在な清掃用シートを本体に装着し、当該清掃用シートを床面に接触させた状態で柄を押動させることで、床面を清掃できるモップ等の掃除具が知られている。
【０００３】
このような掃除具の一例として、本体部の基盤板の中央部を厚く且つ周辺部において薄く形成することで、清掃用シートを床面に対して盛上り状に接触させ、清掃用シートの全面に塵等を付着させながら清掃できる掃除具がある（特許文献１参照）。
【０００４】
ところで、従来の掃除具では、ある特定面積の床面を清掃した後に、使用済みの清掃用シートを別の清掃用シートに逐次取り替える必要がある。特に、一度に清掃を行う床面の面積が十分に大きい場合、一度の清掃で複数回に亘って当該清掃用シートの取り替え作業が発生するため、ユーザの手間にも繋がる。
【０００５】
そこで、清掃に使用することのできるタオル地等よりなる清掃用シートの一端部及び他端部を巻付して当該清掃用シートを清掃治具本体に装着し、且つ、当該清掃用シートの一端部と他端部との連設部を清掃治具本体の清掃面側に当接してなり、当該清掃用シートの一端部又は他端部を回転させることにより及び／又は一端部又は他端部を引張ることにより清掃治具本体の清掃面側に当接した一端部と他端部との連設部が新しい未使用面に変えることができる掃除具が知られている（特許文献２参照）。
当該特許文献２記載の掃除具によると、面積の大きな床面を清掃する場合でも、清掃用シートの端部を回転又は引張ることで当該清掃用シートを未使用面に交換でき、取り替え作業を逐次行うことなく清掃を継続できるので、ユーザの手間が軽減する。
【先行技術文献】
【特許文献】
【０００６】
【特許文献１】特開２００７−４４２７０号
【特許文献２】登録実用新案第３０４２２３７号
【発明の概要】
【発明が解決しようとする課題】
【０００７】
しかしながら、特許文献２記載の掃除具によると、清掃用シートの一端部又は他端部を回転又は引張るために、ユーザは当該清掃用シートの端部を直接手で把持する必要がある。つまり、ユーザは、清掃用シートの使用済み面を未使用面に交換する際、清掃用シートの使用済み面を把持することで、当該清掃用シートに付着した塵や埃で手が汚れてしまうという問題があった。
【０００８】
本発明の課題は、清掃用シートの使用済み面が直接手に触れることなく容易に未使用面に交換できる掃除具を提供することにある。
【課題を解決するための手段】
【０００９】
以上の課題を解決するため、請求項１に記載の発明は、一体の長尺な清掃用シートを装着して床面を清掃するための掃除具であって、一対の孔を有する側面視ロ字状に形成された本体部と、前記本体部の内部に設けられた一対の円筒部材と、を備え、前記清掃用シートが装着された場合、前記一対の円筒部材は、各々前記清掃用シートの一端側と他端側を巻回方向が互いに逆方向となるように巻回し、前記一対の孔のうち一方の孔は、前記一対の円筒部材の一方から引き出した前記清掃用シートを挿通させ、前記一対の孔のうち他方の孔は、前記一対の円筒部材の他方に巻き取る前記清掃用シートを挿通させ、前記本体部の周面は、前記一対の孔に挿通されて前記本体部の外部へ露出する前記清掃用シートで覆われ、前記一対の円筒部材の何れか一方には、当該円筒部材を回動させるための取手が備わることを特徴とする。
【００１０】
請求項２に記載の発明は、請求項１に記載の掃除具において、前記本体部の底面には前記床面の形状に合わせて変形可能な軟質部材が設けられ、前記軟質部材の外周面は、前記一対の孔に挿通されて前記本体部の外部へ露出する前記清掃用シートで覆われることを特徴とする。
【００１１】
請求項３に記載の発明は、請求項１又は２に記載の掃除具において、前記本体部の上面には、前記円筒部材の長手方向と平行な方向に沿って所定の深さからなる溝が形成され、前記溝の上面に、当該溝の深さより小さな径を有する棒状の柄を回動自在に取付ける取付部を備えることを特徴とする。
【００１２】
請求項４に記載の発明は、請求項１〜３の何れか１項に記載の掃除具において、前記一対の孔のうち少なくとも前記他方の孔は、前記本体部の側面に形成されることを特徴とする。
【発明の効果】
【００１３】
本発明によると、掃除具に清掃用シートが装着された場合、ユーザは、円筒部材の一方に巻回された清掃用シートが巻き取られるように当該円筒部材の一方を取手によって回動させることで、本体部の外部へ露出した清掃用シートの使用済み面を巻き取ることができる。また、上記回動に応じて他方の円筒部材が従動回転するため、当該他方の円筒部材に逆方向へ巻回された清掃用シートは、他方の円筒部材の周面より放出される。つまり、清掃用シートの未使用面が本体部１の外部へ露出する。そのため、ユーザは、取手を回動させるだけで、清掃用シートを使用済み面から未使用面に容易に交換できる。
したがって、本発明は、清掃用シートの使用済み面が直接手に触れることなく容易に未使用面に交換できる掃除具を提供できる。
【図面の簡単な説明】
【００１４】
【図１】第１実施形態に係る掃除具を正面上方から見た斜視図である。
【図２】図１に示す掃除具のＸＺ側面図である。
【図３】図１に示す掃除具の別の斜視図である。
【図４】図３に示す掃除具のＸＺ側面図である。
【発明を実施するための形態】
【００１５】
以下に、図面を参照して、本発明に係る掃除具の具体的な態様を詳細に説明する。ただし、発明の範囲は、図示例に限定されない。
【００１６】
（第１実施形態）
本実施形態に係る掃除具１００は、例えば、図１及び図２に示すように、本体部１及び本体部１の底面２０に取り付けられたスポンジ材２１の周面が、芯３１、３２（円筒部材）に巻きつけられた清掃用シートＳで覆われ、当該本体部１の上面に柄５０が取り付けられた構成を取る。そして、掃除具１００は、清掃用シートＳが床面に当接した状態で、当該床面に沿って押動されることで床面に付着した塵や埃を清掃用シートＳに吸着できる。以下に、当該掃除具１００の各部構成について述べる。ここで、図１に示すとおり、掃除具１００の幅方向をＸ軸方向、長手方向をＹ軸方向、高さ方向をＺ軸方向と便宜上定める。
【００１７】
清掃用シートＳは、例えば、スパンレース、エアスルー、エアレイド、ポイントボンド、スパンボンド、ニードルパンチ等の不織布からなる。当該清掃用シートＳは、芯３１，３２の周面に幾重にも亘って巻きつけられた、長方形状からなる一体の長尺なシートである。そして、図２に示すように、芯３１，３２の周面の最も外方に巻きつけられた清掃用シートＳの一部は、挿通孔４、５に挿通されて、本体部１及びスポンジ材２１の外周面を覆うように外部に露出する。
以下では、便宜上、芯３１（一対の円筒部材の他方）に巻回された清掃用シートＳを一端側シートＳ１、芯３２（一対の円筒部材の一方）に一端側シートＳ１と逆方向に巻回された清掃用シートＳを他端側シートＳ２、一端側シートＳ１と他端側シートＳ２との間に位置し本体部１の外部へ露出して当該本体部１の周面を覆う清掃用シートＳを露出部シートＳ３とする。また、露出部シートＳ３のうち、挿通孔４（他方の孔）に挿通されて一端側シートＳ１と接続される端部を露出部シート一端Ｓ３１、挿通孔５（一方の孔）に挿通されて他端側シートＳ２と接続される端部を露出部シート他端Ｓ３２、露出部シート一端Ｓ３１及び露出部シート他端Ｓ３２間の露出部シートＳ３を露出部シート両端間Ｓ３３とする。さらに、一端側シートＳ１は使用済み面からなる清掃用シートＳで構成され、他端側シートＳ２は未使用面からなる清掃用シートＳで構成されるものとする。
【００１８】
本体部１は、図１に示すように、Ｙ軸方向の端部が空洞状の、薄肉の略直方体形状からなる。つまり、本体部１は、図２に示すとおり、ＸＺ側面視で略ロ字状を呈する。
そして、本体部１は、例えば、ＰＰ（ＰｏｌｙＰｒｏｐｙｌｅｎｅ），ＰＥ（Ｐｏｌｙ  Ｅｔｈｙｌｅｎｅ）、ＡＢＳ（Ａｃｒｙｌｏｎｉｔｒｉｌｅ  Ｂｕｔａｄｉｅｎｅ  Ｓｔｙｒｅｎｅ）、アクリル、ポリカーボネート等の汎用樹脂材で形成される。
当該本体部１は、Ｘ軸方向の略中央位置でＹ軸方向に亘って一様に形成された溝２と、溝２の上面に形成された継手３（取付部）と、溝２を跨いでＸ軸方向の両側に形成された挿通孔４、５と、当該本体部１の底面２０に設けられたスポンジ材２１（軟質部材）と、を含んで構成される。
【００１９】
溝２は、本体部１のＸ軸方向における略中央位置において、Ｙ軸方向（芯３１，３２の長手方向）に亘って一様に設けられる凹状の溝である。当該溝２は、図２に示すように、本体部１の上面からの深さが、柄５０の径Ｐよりも大きなＨに形成される。
継手３は、溝２の上面で、且つ、当該溝２のＹ軸方向における略中央位置に設けられる。継手３は、例えば、ボールジョイント構造におけるソケット等であり、球状に形成された柄５０の先端が嵌挿された状態で、柄５０を回動自在に取付ける。
そのため、柄５０の長手方向がＹ軸に平行になるように、継手３を介して柄５０を回動させると、柄５０の径Ｐよりも溝２の深さＨが大きいため、柄５０の周面は溝２に収まった状態となる（つまり、掃除具１００の上端が本体部１の上面となる）。
なお、継手３として、ヒンジ等を用いる構成であっても勿論よい。
【００２０】
挿通孔４、５は、本体部１の上面に形成された一対の孔である。当該挿通孔４、５は、溝２を中心としてＸ軸方向の略対称な位置に各々設けられる。また、挿通孔４、５のＸＹ平面における面積は、露出部シート一端Ｓ３１及び露出部シート他端Ｓ３２が各々挿通可能なように、清掃用シートＳの断面積よりも僅かに大きい程度である。そして、挿通孔５が芯３２から引き出した清掃用シートＳを挿通させ、挿通孔４が芯３１に巻き取る清掃用シートＳを挿通させる。
【００２１】
芯３１，３２は、それぞれ、本体部１の内部で且つ挿通孔４、５の下方位置に配設される。当該芯３１，３２は、Ｙ軸方向の長さが本体部１と略等しく、Ｙ軸回りに回動可能な円筒形状の部材である。そして、芯３１，３２の周面には各々一端側シートＳ１及び他端側シートＳ２が幾重にも亘って巻回される。
【００２２】
また、芯３１のＹ軸方向端部には、フック状（Ｊ字形状）に形成された突起である取手３１１が設けられる。ユーザは、当該取手３１１を介して芯３１を回動させることができる。
そのため、例えば、ユーザが取手３１１を把手して、図２に示すＷ１方向に当該取手３１１を回動させると、芯３１はＷ１方向に回動する。すると、芯３１の回動に応じて当該芯３１の周面に巻回された一端側シートＳ１がＷ１方向に回動するので、外部に露出した露出部シート両端間Ｓ３３が芯３１に巻き取られるように図２に示すＤ方向へ向かって移動する。この際、図２に示すＤ方向へ向かって移動する露出部シートＳ３が芯３２の周面に巻回された他端側シートＳ２をＤ方向へ付勢するので、芯３２がＷ２（＝Ｗ１）方向に従動回転する。その結果、芯３２の周面に巻回された他端側シートＳ２は、Ｗ２方向に回動することで芯３２の周面より放出される。したがって、外部に露出した清掃用シートＳ（露出部シート両端間Ｓ３３）は、使用済み面が芯３１に巻き取られ、未使用面が芯３２より供給されることで、使用済み面から未使用面に交換される。
【００２３】
スポンジ材２１は、本体部１の底面２０に接着等されて配設される。当該スポンジ材２１は、ポリウレタン等の合成樹脂で発泡成形されており、伸縮性や柔軟性に優れる。つまり、スポンジ材２１は、清掃する床面の形状に合わせて変形可能な軟質部材である。
そして、スポンジ材２１には、露出部シート両端間Ｓ３３が当該スポンジ材２１の外周面を覆うように装着される。そのため、凹凸のある床面や階段などを含む段差のある床面を掃除具１００で清掃する際に、スポンジ材２１が清掃する床面の形状に合わせて変形するので、掃除具１００を床面に沿って押動させ易い。つまり、掃除具１００は、清掃する床面の形状に囚われることなく、床面に付着した塵や埃を好適に吸着できる。
【００２４】
柄５０は、径Ｐからなる棒状の部材である。当該柄５０は、本体部１と同様に、ＰＰ（ＰｏｌｙＰｒｏｐｙｌｅｎｅ），ＰＥ（Ｐｏｌｙ  Ｅｔｈｙｌｅｎｅ）、ＡＢＳ（Ａｃｒｙｌｏｎｉｔｒｉｌｅ  Ｂｕｔａｄｉｅｎｅ  Ｓｔｙｒｅｎｅ）、アクリル、ポリカーボネート等の汎用樹脂材で形成される。そして、柄５０は、先端が継手３に嵌挿されており、回動自在に位置決めできる。そのため、ユーザは、柄５０を回動させて当該柄５０の周面を溝２に収めた状態にすることで、掃除具１００全体の高さ（Ｚ軸方向長さ）を柄５０が本体部１より突出する分だけ小さくすることができる。つまり、ユーザは、家具の下部や狭い隙間箇所等の床面を清掃する場合でも、掃除具１００を当該家具の下部や狭い隙間箇所に潜り込ませることができる。
【００２５】
次に、実施形態１の掃除具１００による、清掃動作及びシートＳの使用済み面を未使用面に交換する動作について説明する。
【００２６】
まず、清掃用シートＳの装着された掃除具１００を用いて床面の清掃を行う場合、ユーザは継手３を介して柄５０を回動させて、最も清掃を行い易い角度に位置決めする。特に、ユーザは、家具の下部や狭い隙間箇所等の床面を清掃する場合、柄５０を回動させて当該柄５０の周面を溝２に収めた状態にすることで、掃除具１００を当該家具の下部や狭い隙間箇所に潜り込ませることができる。
そして、ユーザは柄５０を把持して、清掃用シートＳを床面に当接させた状態で、当該清掃用シートＳを床面に沿って押動させることで床面に付着した塵や埃を吸着する。この際、凹凸のある床面や階段などを含む段差のある床面であっても、ユーザが柄５０を介してスポンジ材２１を押圧することで、当該床面の形状に合わせてスポンジ材２１が適宜に変形するので、あらゆる床面を満遍なく清掃できる。
【００２７】
次に、清掃動作により塵や埃を吸着して使用済み面となった清掃用シートＳ（露出部シート両端間Ｓ３３）を未使用面に交換する。
この場合、ユーザは、取手３１１を把手してＷ１方向に回動させる。すると、露出部シート両端間Ｓ３３は、芯３１に巻き取られるようにＤ方向へ向かって移動する。つまり、外部に露出した清掃用シートＳ（露出部シート両端間Ｓ３３）は、使用済み面が芯３１に巻き取られ、未使用面が芯３２より供給されることで、使用済み面から未使用面に交換される。この際、ユーザは、使用済み面となった清掃用シートＳが芯３１に完全に巻き取られるまで取手３１１を回動させることで、使用済み面となった清掃用シートＳを本体部１の上面に露出させずに済むので衛生的である。
【００２８】
なお、清掃用シートＳが全て使用済み面となった場合（つまり、清掃用シートＳが全て一端側シートＳ１として芯３１に巻回された状態になった場合）、ユーザは、芯３１及び芯３２をＹ軸方向に移動させて本体部１と分離させる。次に、ユーザは、芯３１より当該一端側シートＳ１を取り外すとともに、別体の清掃用シートＳ（他端側シートＳ２）を芯３２に巻回して、芯３１及び芯３２を元の位置まで移動させる。そして、ユーザは、芯３２に巻回した他端側シートＳ２を所定量引っ張りだして、露出部シート一端Ｓ３１及び露出部シート他端Ｓ３２として挿通孔４、５に挿通させるとともに、一端側シートＳ１として芯３１に少量巻回することで、清掃用シートＳを容易に換装できる。
【００２９】
以上説明したように、実施形態１に係る掃除具１００によれば、清掃用シートSが装着された場合、ユーザが取手３１１によって、芯３１に巻回された清掃用シートＳが巻き取られるように当該芯３１を回動させることで、本体部１の外部へ露出した清掃用シートＳの使用済み面を巻き取ることができる。また、上記回動に応じて芯３２が従動回転するため、当該芯３２に逆方向へ巻回された清掃用シートＳは、芯３２の周面より放出される。つまり、清掃用シートＳの未使用面が本体部１の外部へ露出する。そのため、ユーザは、取手３１１を回動させるだけで、清掃用シートＳを使用済み面から未使用面に交換できる。
したがって、本発明は、清掃用シートの使用済み面が直接手に触れることなく容易に未使用面に交換できる掃除具を提供できる。
【００３０】
また、掃除具１００によると、本体部１の底面２０に清掃する床面の形状に合わせて変形可能なスポンジ材２１が設けられ、当該スポンジ材２１の外周面を露出部シート両端間Ｓ３３で覆う。
そのため、ユーザは、凹凸のある床面や階段などを含む段差のある床面を掃除具１００で清掃する際に、スポンジ材２１が清掃する床面の形状に合わせて変形するので、掃除具１００を床面に沿って押動させ易い。つまり、掃除具１００は、清掃する床面の形状に囚われることなく、床面に付着した塵や埃を好適に吸着できる。
【００３１】
また、本体部１の上面には、本体部１のＹ軸方向に亘って深さＨからなる溝２が形成され、溝２の上面には、当該溝２の深さＨより小さな径Ｐを有する棒状の柄５０を回動自在に取付ける継手３を備える。
そのため、柄５０の長手方向がＹ軸に平行になるように、継手３を介して柄５０を回動させると、柄５０の径Ｐよりも溝２の深さＨが大きいため、柄５０の周面は溝２に収まった状態となる。つまり、ユーザは、家具の下部や狭い隙間箇所等の床面を清掃する場合、柄５０を回動させて当該柄５０の周面を溝２に収めた状態にすることで、掃除具１００を当該家具の下部や狭い隙間箇所に潜り込ませることができる。
【００３２】
（変形例１）
次に、変形例１の掃除具１００ａについて、図３及び図４を用いて説明する。
実施形態１の掃除具１００では、挿通孔４、５を、ともに本体部１の上面に形成されるように構成したが、図３及び図４に示すように、一端側シートＳ１と接続された露出部シート一端Ｓ３１を挿通する挿通孔４ａ（他方の孔）が本体部１の側面に形成されるように構成してもよい。
以下の掃除具１００ａの説明においては、実施形態１の掃除具１００との相違点を中心に説明し、一致する構成には、同一の符号を付し、説明を省略する。
【００３３】
挿通孔４ａは、図３及び図４に示すように、本体部１のＹＺ側面に形成された孔である。挿通孔４ａのＹＺ平面における面積は、露出部シート一端Ｓ３１が挿通可能なように、清掃用シートＳの断面積よりも僅かに大きい程度である。
そして、ユーザが図４に示すＷ１方向に取手３１１を回動させた際、使用済み面となった清掃用シートＳは、本体部１のＹＺ側面から挿通孔４ａを辿って芯３１に巻き取られる。つまり、ユーザが清掃用シートＳを使用済み面から未使用面に交換する際、使用済み面となった清掃用シートＳは、一度も本体部１の上面に露出しないので衛生的である。
【００３４】
以上説明したように、変形例１に係る掃除具１００ａによれば、実施形態１に係る掃除具１００と同様の効果を発揮することは勿論のこと、挿通孔４ａがＹＺ側面に設けられているので、清掃用シートＳを使用済み面から未使用面に交換する際、使用済み面となった清掃用シートＳは、一度も本体部１の上面に露出しないので衛生的である。また、実施形態１に係る掃除具１００では、使用済み面となった清掃用シートＳが芯３１に完全に巻き取られるまで取手３１１を回動させない限り、使用済み面となった清掃用シートＳを本体部１の上面に露出させないように出来なかった。一方で、変形例１に係る掃除具１００ａでは、取手３１１の回動が不十分で、使用済み面となった清掃用シートＳが挿通孔４ａの手前（つまり、本体部１のＹＺ側面）で止まってしまった場合でも、当該使用済み面となった清掃用シートＳを本体部１の上面に露出させずに済ますことができる。
【００３５】
なお、本発明の範囲は上記実施形態に限られることなく、本発明の趣旨を逸脱しない範囲において種々の改良並びに設計の変更を行っても良い。
【００３６】
具体的には、実施形態１及び変形例１において、スポンジ材２１を、本体部１の底面２０だけでなくＹＺ側面にも設け、底面２０及びＹＺ側面の双方で清掃が可能な構成としてもよい。
また、変形例１ａにおいて、挿通孔４ａのみをＹＺ側面に設けたが、挿通孔５もＹＺ側面に設けるように構成しても勿論良い。
また、床面の形状に合わせて変形可能な軟質部材としてスポンジ材２１を例示したが、ウレタン材やゴム材を用いることとしてもよい。
また、実施形態１及び変形例１において、掃除具１００や掃除具１００ａに清掃用シートSが装着された場合を例にとって説明したが、掃除具１００や掃除具１００ａに清掃用シートSが装着されていない場合であっても本発明は当然成り立つものである。
【符号の説明】
【００３７】
１００，１００ａ    掃除具
１                  本体部
２                  溝
３                  継手（取付部）
２０                底面
２１                スポンジ材（軟質部材）
３１，３２          芯（円筒部材）
３１１              取手
４                  挿通孔（他方の孔）
５                  挿通孔（一方の孔）
Ｓ                  清掃用シート
Ｓ１                一端側シート（一端側）
Ｓ２                他端側シート（他端側）
Ｓ３                露出部シート
Ｓ３１              露出部シート一端
Ｓ３２              露出部シート他端
Ｓ３３              露出部シート両端間
４ａ                挿通孔（他方の孔）
【図１】
2012070952.tif 000003
【図２】
2012070952.tif 000004
【図３】
2012070952.tif 000005
【図４】
2012070952.tif 000006